(57)【特許請求の範囲】
【請求項１】
スライド式仕切壁であって、側方に摺動可能であって移動ローラによって吊り下げ成形材（１４）でガイドされる複数の壁エレメント（１２／１から１２／ｎ）を備えており、少なくとも１つの壁エレメント（１２／２）が、閉扉装置（３０）を介して操作可能なドアエレメントとして形成されている形式のものにおいて、
閉扉装置（駆動部３０）とドアエレメントとして利用される壁エレメント（１２／２）との間に設けられた操作部材が、壁エレメントのスライド時に自動的に有効もしくは非有効に切り替わるロッド（３２，３３，３７）として形成されており、吊り下げ成形材（１４）に閉鎖部材（２腕レバー２９）が設けられていて、該閉鎖部材によって、ドアエレメントとして利用される壁エレメント（１２／２）が、スライド時には静止状態に保持され、閉扉装置（駆動部３０）により壁エレメント（１２／２）が操作可能となる状態へ移行すると前記静止状態から解放され、前記閉鎖部材が、ドアエレメントとして使用される壁エレメント（１２／２）に対応配置されかつばね負荷された２腕レバー（２９）から成っており、該２腕レバー（２９）に、操作部材としての位置固定的なストッパ（３８）が対応配置されていることを特徴とする、側方に摺動可能な複数の壁エレメントを備えたスライド式仕切壁。
【請求項２】
閉扉装置（駆動部３０）とドアエレメントとして使用される壁エレメント（１２／２）との間に設けられた操作部材が、スライドレールロッドとして形成されており、該スライドレールロッドのスライドレール（３２）がドアエレメントとして使用される壁エレメント（１２／２）に、スライドレール腕（３３）が閉扉装置（駆動部３０）に対応配置されている、請求項１記載のスライド式仕切壁。
【請求項３】
ドアエレメントとして使用される壁エレメント（１２／２）が、回転留め具（２５／２）によって、隣接した壁エレメント（１２／３）に旋回可能に枢着結合されていて、２つの部分に形成された吊り下げ成形材（１４／１，１４／２）を有しており、該吊り下げ成形材の部分成形材（１４／１および１４／２）が互いに相対的に回転運動可能であり、互いに平行に向いたスライド状態で固定可能に支承されており、下方部分成形材（１４／１）がドアエレメントとして使用される壁エレメント（１２／２）に、上方部分成形材（１４／２）がスライドレール（２０）で吊された駆動キャリッジ（２３）に対応配置されている、請求項１記載のスライド式仕切壁。
【請求項４】
ドアエレメントとして使用される壁エレメント（１２／２）が、
上方部分成形材（１４／２）に固定されたストッパ（２８）と、
閉鎖位置にある回転運動可能な２腕レバー（２９）とによって、
他の壁エレメント（１２／１から１２／ｎ）に揃えられたスライド式仕切壁の面で摺動可能に保持されている、請求項３記載のスライド式仕切壁。
【請求項５】
回転運動可能な２腕レバー（２９）が、ばね負荷されて閉鎖位置に保持されている、請求項４記載のスライド式仕切壁。
【発明の詳細な説明】
【０００１】
本発明は、スライド式仕切壁であって、側方に摺動可能であって移動ローラによってスライドレールでガイドされる複数の壁エレメントを備えており、少なくとも１つの壁エレメントが、自動式の駆動部または閉扉装置を介して操作可能なドアエレメントとして形成されている形式のものに関する。
【０００２】
このようなスライド式仕切壁、例えば欧州特許第０６０１３２６号明細書より公知の、床付近の領域でガイドされていないスライド式仕切壁において、ドアエレメントに対応配置された閉扉装置は、ドアエレメントの枠構造内で、ドアエレメントの水平に延びる上方の成形材に、次のように隠されて取り付けられている。すなわち、ドアエレメントの、床の方に向けられた駆動軸だけが枠構造から突出していて、横方向に位置する連結ピンを介して、ドアエレメントの方に向けられた留め具に結合することができるように、取り付けられている。
【０００３】
このように、常にドアエレメントと作用結合している閉扉装置は、スライド式仕切壁がスライドすると、別の複数の壁エレメントも含めたこのスライド式仕切壁の壁エレメントと共にスライドする。
【０００４】
特に閉扉装置がもたらし得る回転モーメントを受けとめるのは、ローラを介して摺動可能にドアエレメントを懸架する場合は困難であり、各壁エレメントもしくはドアエレメントにスライドのためにそれぞれ個別の駆動部が設けられるので、このような構造は手間もしくはコストがかかる。
【０００５】
さらに、スライドされるドアエレメントの重量、ひいてはその質量による慣性が増大せしめられ、このことは、スライド過程では不都合である。
【０００６】
したがって、公知の構成は高価である。
【０００７】
ドイツ連邦共和国特許出願公開第２４１０６２３号明細書により、それぞれの壁エレメントが上方と下方とでガイドされており、１つの共通の駆動部を介して、折り畳みによって、開放位置および/または閉鎖位置へ移動可能であるスライド式仕切壁が公知になっている。
【０００８】
このようなスライド式仕切壁では、建物の開放部を完全に開放するかまたは閉鎖するかしかできない。しかし、特に寒い季節には、スライド式仕切壁が閉鎖されている状態で、少なくとも１つの壁エレメントが独立していること、例えば自在戸として開閉可能であることが望まれる。
【０００９】
したがって、本発明の課題は、複数の壁エレメントを有するスライド式仕切壁を改良して、少なくとも１つの壁エレメントが、閉扉装置によって操作可能なドアエレメントとして形成されている新たな構成を得ることである。
【００１０】
この課題は、欧州特許第０６０１３２６号明細書より公知のスライド式仕切壁を出発点として次の構成により解決される。すなわち、自動式の回転ドア駆動部または閉扉装置が、スライド式仕切壁の摺動可能な壁エレメントに関係して位置固定的に配置されており、回転ドア駆動部/閉扉装置とドアエレメントとの間に設けられた操作部材が、壁エレメントのスライド時に自動的に有効もしくは非有効に切り替わるロッドとして形成されており、閉鎖部材が設けられていて、この閉鎖部材によって、ドアエレメントが、スライド時にはスライド状態に保持され、回転ドア駆動部または閉扉装置との作用状態への移行に際して解放される。
【００１１】
本発明の別の特徴は、従属請求項に記載されている。
【００１２】
制御可能な閉扉装置として形成された、ドアエレメントの開閉のための駆動装置を位置固定的に設けることによって、付属の駆動モータ、その伝動部、および伝達ロッドの振動のない運転が得られ、このことは、長時間に及ぶ確実な運転のための機能には特別都合がよい。
【００１３】
さらに、本発明では、駆動装置の重量を建物で受けとめることができるので、ドアエレメントとして使用される壁エレメントの懸架部に対する負荷は小さくなる。このことによって、すべての壁エレメントがほぼ同じ質量を有することになるので、スライド式仕切壁のよりスムーズな動きが得られる。ドアエレメントとして形成された壁エレメントの開閉時に、閉扉装置によってもたらされる回転モーメントは、簡単にかつ確実に建物で受けとめられ、このことも、機能の確実性に対して同様に都合の良い作用を及ぼす。さらに、電気機械式にも電気液圧式にも作動可能な駆動装置への電気エネルギーの供給は、非常に簡単になる。
【００１４】
さらに、本発明の駆動装置の構成は、すでに組み立ての終了したスライド式仕切壁に後から取り付けることも簡単にできる。
【００１５】
本発明の構成を、図面に概略的に示した実施例によって、以下に詳細に説明する。
【００１６】
図１：本発明のドアエレメントして形成された壁エレメントのための駆動装置を備えた、複数の壁エレメントを有するスライド式仕切壁によって閉鎖可能な建物の開放部が閉鎖位置にある図。
【００１７】
図２：図１のスライド式仕切壁が開放位置へ移動させられた図。
【００１８】
図３：駆動装置を含めた、図１の部分拡大図。
【００１９】
図４：図３の線ＩＶ−ＩＶに沿った断面図。
【００２０】
スライド式仕切壁１０は、図１および図２に示されているように、側方に摺動可能に配置されている複数の壁エレメント１２／１から１２／nを有しており、これらの壁エレメント１２／１から１２／ｎが総ガラス張りのエレメントとして構成されている場合には、上方縁部はそれぞれ１つの吊り下げ成形材１４によって、下方縁部は被覆成形材１５によって囲まれている。吊り下げ成形材１４は吊り下げボルト１７を有しており、この吊り下げボルト１７を介して、壁エレメント１２／１から１２／ｎはそれぞれ、移動ローラ２１とガイドローラ２２とによってスライドレール２０でガイドされる駆動キャリッジ２３に高さ調整可能に結合されている。各駆動キャリッジ２３は、駆動モータ（図示せず）を有しており、この駆動モータによって、各壁エレメントはスライドレール２０に沿って摺動可能になっている。このスライドレール２０は、スライド式仕切壁によって閉鎖される空間の天井で、建物に固着結合されている。壁エレメント１２／１から１２／ｎを、互いに連結して１つの駆動部によって摺動させることも可能である。
【００２１】
図１に概略的に示された建物は、その全体を符号１２で表す。
【００２２】
個々の壁エレメント１２／１から１２／ｎの互いに向かい合わされた縦方向縁部には、留め具２５が設けられており、この留め具２５によって、壁エレメント１２／１から１２／ｎは互いに枢着結合されている。壁エレメント１２／２と１２／３との間の留め具２５／１は、回転留め具として形成されており、この回転留め具によって、ドアエレメントとして構成された壁エレメント１２／２の旋回が後に説明される形式で可能になり、このためには、開扉装置として使用され、かつ位置固定的に配置される制御可能な駆動部３０が用いられる。スライドレール２０は枠成形材２７に対応配置されており（図４）、この枠成形材２７によって、スライドレール２０および吊り下げボルト１７は覆われて正面からは見えなくなっている。
【００２３】
壁エレメント１２／２をドアエレメント（開き戸）として構成するために、対応配置された吊り下げ成形材１４は、２つの部分に分割されて構成されていて、同一形状の部分成形材１４／１および１４／２を有している（特に図４を参照）。
【００２４】
上方部分成形材１４／２は、吊り下げボルト１７を介して、付属の駆動キャリッジ２３に結合しており、一方、下方部分成形材１４／１は、ドアエレメントして使用される壁エレメント１２／２の上方端部を囲んでいる。上方部分成形材１４／２は、留め具２５によって壁エレメント１２／１および１２／３に結合されている。つまり、この留め具２５によって、すべての壁エレメント１２／１から１２／ｎが相互に結合される。さらに、上方部分成形材１４／２には、固定ストッパ２８（図４参照）が対応配置されており、スライド式仕切壁の閉鎖状態では、ドアエレメントとして使用される壁エレメント１２／２の部分成形材１４／１が、固定ストッパ２８に十分に当接している。
【００２５】
さらに、上方部分成形材１４／２は、図４から特に明確に分かるように、回転運動可能に支承されたレバー腕または２腕レバー２９を有しており、このレバー腕または２腕レバー２９は、その端部領域２９／１が、ばね負荷された図２の静止状態で、ドアエレメントとして使用される壁エレメント１２／２の下方部分成形材１４／１の前に来るよう位置していて、これにより、壁エレメント１２／２の下方部分成形材１４／１をスライド式仕切壁の面に固定する。
【００２６】
下方部分成形材１４／１は、１つの回転留め具２５／１によって、隣接した壁エレメント１２／３に結合されており、一方、第２の回転留め具２５／２は、壁エレメント１２／３の下方領域で、壁エレメント１２／３に係合している。
【００２７】
前述の駆動部３０は、ドアエレメントとして使用される壁エレメント１２／２の領域内で、しかもスライド式仕切壁の閉鎖状態（図１）で壁エレメントが取る位置で、枠形成材２７に位置固定的に取り付けられている。この領域では、駆動部３０に対応配置されたスライドレールロッドのスライドレール３２が壁エレメント１２／２の下方部分成形材１４／１に固定されており、スライドレール３２のスライドレール腕３３は、駆動部３０の駆動軸３５に載着されていて、スライド式仕切壁の閉鎖状態では、図４に明確に示されているように、ピン３７によってスライドレール３２に係合している。
【００２８】
最終的には、２腕レバー２９には、位置固定的なストッパ３８が対応配置されており、このストッパ３８は、ドアエレメントとして使用される壁エレメント１２／２の領域で、枠成形材２７に固定されており、上方部分成形材１４／２に結合された２腕レバー２９の摺動経路上に突出している。
【００２９】
前述の装置の作用形式は次の通りである。
【００３０】
スライド式仕切壁の図１で示された閉鎖状態では、駆動部３０のスライドレール腕３３は、ピン３７を介してスライド式レール３２に係合していて、これによりドアエレメントとして使用される壁エレメント１２／２と作用結合している。この壁エレメント１２／２は、回転留め具２５／１を介して壁エレメント１２／３に旋回可能に枢着結合されている。同時に、位置固定的なストッパ３８によって、２腕レバー２９が、非有効状態にまで旋回させられている（図４）ので、ドアエレメントとしての壁エレメント１２／２は、駆動部３０によって公知の形式で開閉可能である。この開閉のためには、本発明の対象でないので図示されていないセンサ制御部、例えば本社のカタログ“Automatischer Drehfluegelantrieb”，DORMA ED 300に記載されているセンサ制御部が用いられる。
【００３１】
壁エレメント１２／２がセンサ制御部（図示せず）によって保証され得る閉鎖状態にある場合に、図２に一部が示されているように、スライド式仕切壁が駆動キャリッジ２３によって開放位置に移動させられると、２腕レバー２９およびスライドレール腕３３は、図１に示されたそれぞれの位置からスライドする。この場合、２腕レバー２９は、部分成形材１４／１の前に位置している端部領域２９／１によって、ドアエレメントとして使用される壁エレメント１２／２の旋回運動を止める。さらに、駆動部３０も、ピン３７がスライドレール３２か離られることにより、非有効となる。
【００３２】
したがって、この場合、スライド式仕切壁の壁エレメントは、１２／１から１２／ｎまでがいわば硬直していて、駆動キャリッジ２３によって、通常の形式で収納位置への移動が可能であるので、これまでスライド式仕切壁によって覆われていた建物の開放部が自由になる。これとは反対に、スライド式仕切壁を図１に示されているような閉鎖位置に移動させると、スライドレール腕３３のピン３７がスライドレール３２に係合し、ばね負荷された２腕レバー２９が、位置固定的なストッパ３８を介して非有効状態にまで旋回させられるので、前述の装置の図４に示された作用状態に再度自動的に達し、駆動部は再び機能することができる。
【００３３】
もちろん駆動部は、スライド式仕切壁のそれぞれまたはすべての壁エレメントに対応配置することができ、この場合、自動的に連結が脱着されるという本発明の思想から逸脱することなしに行われる。
【図面の簡単な説明】
【図１】  本発明のドアエレメントして形成された壁エレメントのための駆動装置を備えた、複数の壁エレメントを有するスライド式仕切壁によって閉鎖可能な建物の開放部が閉鎖位置にある図である。
【図２】  図１のスライド式仕切壁が開放位置へ移動させられた図である。
【図３】  駆動装置を含めた、図１の部分拡大図である。
【図４】図３の線ＩＶ−ＩＶに沿った断面図である。
【符号の説明】
１０  スライド式仕切壁、  １２  建物、  １２／１から１２／ｎ  壁エレメント、  １４  吊り下げ成形材、  １４／１，１４／２  部分成形材、  １５  被覆成形材  １７  吊り下げボルト、  ２０  スライドレール、  ２１  移動ローラ、  ２２  ガイドローラ、  ２３  駆動キャリッジ、  ２５  留め具、  ２７  枠成形材、  ２８  ストッパ、  ２９  ２腕レバー、  ２９／１  端部領域、  ３０  駆動部、  ３２  スライドレール、  ３３  スライドレール腕、  ３５  駆動軸、  ３７  ピン、  ３８  ストッパ
【図１】
0004763201.tif 000002
【図２】
0004763201.tif 000003
【図３】
0004763201.tif 000004
【図４】
0004763201.tif 000005